(57)【特許請求の範囲】
【請求項１】
互いに隣接する一対の支柱の対向面側の一側に、隣接方向に突出する挟持部片を設け、該挟持部片の内側に重ねて前記支柱間に介在させたフェンス本体の上部を前記支柱に止着した受金具に掛止させる一方、下端を前記支柱に止着した受支金具に受支させると共に、前記フェンス本体を前記挟持部片に相対して挟持する押縁を前記支柱に着脱可能に止着した、フェンス装置。
【発明の詳細な説明】
【０００２】
【産業上の利用分野】
【０００３】
本発明は、一般住宅の外回りに配して用いられているフェンス装置に関するものである。
【従来の技術】
【０００４】
端柱間に複数本の間柱を配し、これら各柱間に、パネル体或いは格子体で成るフェンス本体（面材）を介在させ、該フェンス本体を前記柱に互いに組付け、同時施工しなければならない構造になっているのが一般である。
【発明が解決しようとする課題】
【０００５】
そのため、前記従来例は、損傷などに因りフェンス本体の取替えの必要性が生じたときは、該フェンス本体単独でのみの取替えに収まらず、装置全体の取替えを必要とする不都合があり、経済的でない。
【０００６】
本発明は、斯様な従来例の欠点煮着目し、パネル体等で成るフェンス本体を、それ単独で取替えのできるフェンス装置を提供することを目的として創案したものである。
【課題を解決するための手段】
【０００７】
互いに隣接する一対の支柱の対向面側の一側に、隣接方向に突出する挟持部片を設け、該挟持部片の内側に重ねて前記支柱間に介在させたフェンス本体の上部を前記支柱に止着した受金具に掛止させる一方、下端を前記支柱に止着した受支金具に受支させると共に、前記フェンス本体を前記挟持部片に相対して挟持する押縁を前記支柱に着脱可能に止着した構成とする。
【実施例】
【０００８】
図面は本発明に係るフェンス装置の一実施例を示し、図１は本発明要部の縦断面図、図２は図１のｃ−ｃ線断面図、図３は図１のｄ−ｄ線断面図、図４は図１のｅ−ｅ線断面図、図５は部材の分解斜視図、図６は正面図である。
【０００９】
本発明に係るフェンス装置は、間柱、端柱などの互いに隣接する一対の支柱１，１間にフェンス本体２を介在させ、該フェンス本体２を前記支柱１，１に着脱自在に止着して構成する。
【００１０】
支柱１は他の支柱との隣接側面である対向面１´の縦方向（長手方向）に沿う一側に挟持部片３´を備えた、横断面ややＴ字形体のアルミ押出し形材で成り、地中内に挿入する下部側に補強杆と発泡材を下側から嵌挿して止着し、また、前記対向面１´には、受金具７と受支金具６´を止着して突設したものである。
【００１１】
この支柱１を構成する前記挟持部片３´の屈曲形状にした先端部片３´ａに、挟持部片３´の内側に重ねて配した前記フェンス本体２に設けたひれ部片８ａ，９ａがこれに係止してフェンス本体２の支柱１から支柱隣接方向への移動を規制するように（はずれないように）してある。
【００１２】
フェンス本体２は上胴縁１１と下胴縁１２との間に縦格子１３をわたして構成し、筒状のアルミ押出し形材で成る上下の胴縁１１，１２の両端には組付金具１４，１５を嵌着し、これら上下の組付金具１４，１５を利用して、互いに隣接する一対の前記支柱１，１に受支できるようにしてある。
【００１３】
上組付金具１４は前記上胴縁１１の開口端を閉塞し、上胴縁１１より突出する両側部を前記ひれ部片８ａとした主片８の上端に、前記受金具７に掛止する掛止部片１６を屈曲状に連設し、主片８の背面に設けた上、中、下の各挿入部片１７ａ，１７ｂ，１７ｃを設けて成り、各挿入部片１７ａ，１７ｂ，１７ｃを前記上胴縁１１の開口端に挿入し、中挿入部片１７ｂの先端に設けたタッピング溝１７ｂ´に、上胴縁１１の周面から挿入したねじ１８を螺合締付けて、上胴縁１１の両端に組付けたものである。
【００１４】
また、前記下取付け金具１５は、前記下胴縁１２の開口端を閉塞し、下胴縁１２より突出する両側部を前記ひれ部片９ａ、また、下部を規制部片９ａ´，９ａ´とした主片９の背面に、上組付け金具１４の主片８と同様にして上、中、下の挿入部片１９ａ，１９ｂ，１９ｃを突設して構成し、各挿入部片１９ａ，１９ｂ，１９ｃを下胴縁１２の開口端に挿入し、中挿入部片１９Ｂに設けたタッピング溝１９ｂ´に下胴縁１２の周面から挿入したねじ２０を螺合締付けて、下胴縁１２の両端に組付けたものである。
【００１５】
また、実施例は、フェンス本体２の上胴縁１１に取付けた上組付金具１４の掛止部片１６を、該支柱１に取付けた受金具７に掛止させるようにし、また、支柱１に取付けてフェンス本体２の受支材となる受支金具６´に取付け部片６´ｃを設けてこれに横桟２４を取付けるようにして上下のフェンス本体２，２間の間隙ａを閉塞するようにして（意匠的効果を期待して）、前記横桟２４を介してフェンス本体２，２を支柱１，１間において上下に着脱自在に並設するようにしたものである。
【００１６】
受支金具６´は、受支部片６´ａと取付部片６´ｂとで構成するＬ形体の受支部片６´ａの自由端側に一段低くした段違い状にして前記取付部片６´ｃを連設して構成し、取付部片６´ｂにおいて前記対向面１´の上下方向の中間部に止着して支柱１に突設し、前記フェンス本体２の下胴縁１２を載置できるように、支柱１に取付けた各受金具７に対応させて（実施例では、支柱１の上端部と中間部にそれぞれ配した受金具７に対応させて支柱１の中間部と下部に）前記挟持部片３と押縁１０間との対向面１´の中央に配置したものである。
【００１７】
受金具７は、取付部片７ｂと該取付部片７ｂに対して直交方向に配した受部片７ａとで成るＬ形体で構成し、受部片７ａの上端にフェンス本体２の上胴縁１１に取付けた上組付金具１４の掛止部片１６が係合する切欠２５を設けたもので、取付部片７ｂを挟持部片３´の内面に重ね合わせてねじ止めして前記受部片７ａが上胴縁１１の端面と対向するようにして前記支柱１に取付けたものである。
【００１８】
なお、前記切欠２５は、受部片７ａの自由端側の上端に、上組付金具１４の掛止部片１６が、フェンス本体２の支柱１，１に対する組付け時に乗り越える突縁２５ａを設けることにより構成される。
【００１９】
横桟２４は、水平方向に配した仲介片２４ａの長手方向に沿う両端に套装片２４ｂ，２４ｂ´を相対して連設して、一方の套装片２４ｂを他の一方の套装片２４ｂ´に対して幅（高さ幅）広くして構成したものである。
【００２０】
しかして、フェンス本体２の開口幅すなわち上下の胴縁１１，１２の長さに見合うようにして互いに隣接させて立設した一対の支柱１，１の対向面１´側に、フェンス本体２の高さ幅に見合う間隔を置いて配した一対の受金具７と受支金具６´を一組とする二組をそれぞれねじ止めして上下に配置し、各受支金具６´，６´（図面では、支柱１下部側の受支金具６´は図示省略）の取付部片６´ｃ上に横桟２４の仲介片２４ａを載置してこれをねじ３０で止着して前記支柱１，１間の中間部と下部に前記横桟２４，２４を架設して配置し、上側のフェンス本体２下部側を、支柱１，１の中間部に架設した横桟２４の幅狭い套装片２４ｂ´側から（フェンス装置としての内側から）、下端側の下胴縁１２に取付けた下組付金具１５の規制部片９ａ´，９ａ´間に支柱１中間部に取付けた受支金具６´の受支部片６´ａが位置するようにし支柱１，１間に係合させ、該規制部片９ａ´，９ａ´と受支部片６´ａの係合部分を支点にするようにしてフェンス本体２の上端部側を支柱１側へと押圧すると、フェンス本体２の上胴縁１１に取付けた上組付金具１４の掛止部片１６はその下面において受金具７の受部片７ａの先端側の上縁の突縁２５ａに接して移動し、該突縁２５ａを通過して（乗り越えて）切欠２５に係合し、上胴縁１１側は受金具７に、下胴縁１２側は受支金具６´にそれぞれ受支され当該上側のフェンス本体２は支柱１，１間に介在してこれらに仮受支される。
【００２１】
また、下側のフェンス本体２も、支柱１の中間部に取付けた受金具７と該受金具７に対応させて支柱１下部に取付けた受支金具６に、前記上側のフェンス本体２の取付け操作と同様の操作により受支され、支柱１中間部間に配した横桟２４を介して上下のフェンス本体２，２が支柱１，１に仮止めされる。
【００２２】
そして、支柱１の挟持部片３´にフェンス本体２すなわち実施例では上下の胴縁１１，１２の端部を介して相対するようにして前記押縁１０の端部１０ａを配し、押縁１０の幅方向の中間部を通じて挿し込んだ固定ねじ２１を、支柱１に設けた螺子孔２２に螺合締付けることにより、支柱１，１間に配した各フェンス本体２は、支柱１の挟持部片３´の内側にして該挟持部片３´と該挟持部片３´と相対する押縁１０で挟持され、かつ、受支金具６によって受支されて支柱１，１に組付けられ、実施例のフェンス装置を得られる。
【００２３】
なお、図中２３Ａは、支柱１の開口上端を閉塞するキャップで、キャップ２３Ａは支柱１，１にフェンス本体２を組付けた後、支柱１に組付け、その開口上端を閉塞する。
【００２４】
また、支柱１，１からフェンス本体２を取り外すには、支柱１からキャップ体２３Ａと押縁１０をねじを緩めて取り外した後、フェンス本体２の上端側を挟持部片３´側から前記押縁１０を取付けた側方向（フェンス装置としての外側から内側方向）に押圧すると、上胴縁１１に設けた上取付金具１４の掛止部片１６は切欠２５を構成する突縁２５ａを乗り越えて切欠２５位置から離脱し、上胴縁１１側（上端側）が支柱１から外れ、受支金具６´（受支部片６´ａ）上から下胴縁１２に設けた下組付金具１５を外すことにより行うことができる。
【００２５】
この実施例は、支柱１に対しフェンス本体２を該支柱１の側面方向からの移動操作によって組付け、組外し操作を行えるもので、しかも、支柱１に掛止部片１６を直接掛止してフェンス本体２を支柱１に組付けるものでないから、すなわち、該掛止部片１６を受ける支柱１とは別体の受金具を用いるものであるから、実施例のようにフェンス本体２を複数段にして支柱に組付けたフェンス装置を得られるのである。
【発明の効果】
【００２６】
本発明は前記の通りの構成であるから、押縁を支柱から着脱させることにより、フェンス本体の支柱に対する組付け、組外しを簡単に行うことができる。
【００２７】
従って、フェンス本体の取替が容易に行え、フェンス本体が損傷を受けたときに対処できる実用的なフェンス装置を提供できる。
【００２８】
さらに加えて、フェンス本体を上下に複数個並べたフェンス装置を得ることができる。
【図面の簡単な説明】
【００２９】
【図１】本発明要部の縦断面図。
【図２】図１のｃ−ｃ線断面図。
【図３】図１のｄ−ｄ線断面図。
【図４】図１のｅ−ｅ線断面図。
【図５】部材の分解斜視図。
【図６】正面図。
【符号の説明】
【００３０】
１      支柱
２      フェンス本体
３´    挟持部片
７      受金具
１０    押縁
【図１】
0003594932.tif 000002
【図２】
0003594932.tif 000003
【図３】
0003594932.tif 000004
【図４】
0003594932.tif 000005
【図５】
0003594932.tif 000006
【図６】
0003594932.tif 000007